(57)【要約】【課題】  充填後の急速冷凍に支障なく、飲用に際して、包装容器の対向する２面を手の指で押圧した時に、指が極度に冷えることがない包装容器を提供する。【解決手段】  両面部分４，４とガセット部分５，５を有するガセット形容器２と、ガセット形容器２の開口部２ａに固着された取出具３とを有し、ガセット形容器２の対向する２面を断熱層を有するラミネートフィルム６で形成し、他の対向する２面を断熱性のないラミネートフィルム７で形成し、ラミネートフィルムの断熱層は、エンボス面または凹凸面を形成したプラスチックフィルムを含むプラスチックフィルムを密封空気層を形成するようにヒートシールして形成される。【選択図】  図１
2006137433.tif 000002
【特許請求の範囲】
【請求項１】
両面部分とガセット部分を有するガセット形容器と、ガセット形容器の開口部に固着された取出具とを有する包装容器において、ガセット形容器は、対向する２面を断熱層を有するラミネートフィルムで形成し、他の対向する２面を断熱層のないラミネートフィルムで形成し、ラミネートフィルムの断熱層は、少なくとも一面に凹凸面を形成したプラスチックフィルムとこれに隣接するプラスチックフィルムを全周囲を密封空気層を形成するようにヒートシールして形成されることを特徴とする包装容器。
【請求項２】
両面部分とガセット部分を有するガセット形容器と、ガセット形容器の開口部に固着された取出具とを有する包装容器において、ガセット形容器は、対向する２面を断熱層を有するラミネートフィルムで形成し、他の対向する２面を断熱層のないラミネートフィルムで形成し、ラミネートフィルムの断熱層は、２枚の片面にエンボス面を形成したプラスチックフィルムをエンボス面が対向するように配置し、全周囲を密封空気層を形成するようにヒートシールして形成されることを特徴とする包装容器。
【請求項３】
プラスチックフィルムのエンボス面の凹部占有領域は、フィルム全面の３０〜７０％であることを特徴とする請求項２に記載の包装容器。
【請求項４】
両面部分と底部分を有する自立形容器と、自立形容器の開口部に固着された取出具とを有する包装容器において、自立形容器は、対向する２面を断熱層を有するラミネートフィルムで形成し、底部分を断熱層のないラミネートフィルムで形成し、ラミネートフィルムの断熱層は、少なくとも一面に凹凸面を形成したプラスチックフィルムとこれに隣接するプラスチックフィルムを全周囲を密封空気層を形成するようにヒートシールして形成されることを特徴とする包装容器。
【請求項５】
両面部分と底部分を有する自立形容器と、自立形容器の開口部に固着された取出具とを有する包装容器において、自立形容器は、対向する２面を断熱層を有するラミネートフィルムで形成し、底部分を断熱層のないラミネートフィルムで形成し、ラミネートフィルムの断熱層は、２枚の片面にエンボス面を形成したプラスチックフィルムをエンボス面が対向するように配置し、全周囲を密封空気層を形成するようにヒートシールして形成されることを特徴とする包装容器。
【請求項６】
プラスチックフィルムのエンボス面の凹部占有領域は、フィルム全面の３０〜７０％であることを特徴とする請求項５に記載の包装容器。
【請求項７】
両面部分と底部分を有する自立形容器と、自立形容器の開口部に固着された取出具とを有する包装容器において、自立形容器は、対向する２面を断熱層を有するラミネートフィルムで形成し、底部分を断熱層のないラミネートフィルムで形成し、ラミネートフィルムの断熱層は、２枚のプラスチックフィルムと中間の不織布とを有し、中間の不織布の全周囲を密封空気層を形成するようにプラスチックフィルムにヒートシールして形成されることを特徴とする包装容器。
【発明の詳細な説明】
【技術分野】
【０００１】
本発明は、アイスクリームやシャーベットのような氷菓子を収容するのに使用される包装容器に関する。
【背景技術】
【０００２】
ジュースのような液体飲料やゼリー状食品を充填する包装容器として、ガセット形容器と、ガセット形容器の開口部に固着された取出具とを有するガセット形包装容器は知られている（例えば、特許文献１）。
【０００３】
上記包装容器は、ポリエステルフィルムとアルミホイルと延伸ナイロンフィルムと低密度ポリエチレンフィルムのラミネートフィルムを包材とした断熱層のないラミネートフィルムで形成されている。
【０００４】
上記包装容器は、液体飲料やゼリー状食品を充填した場合、充填した液体飲料やゼリー状食品を低温に保持するために冷蔵装置の低温室に配置される。
【０００５】
液体飲料やゼリー状食品を飲用するには、液体飲料やゼリー状食品を充填した包装容器を冷蔵装置の低温室から取り出し、包装容器の取出具に設けたキャップを外し、取出具の端部を口で吸いながら包装容器の両面部分を手の指で押圧することで行なう。
【特許文献１】特開２０００−１０３４３８号公報（第２頁，第１図参照）
【発明の開示】
【発明が解決しようとする課題】
【０００６】
上記包装容器は、液体飲料やゼリー状食品を充填した場合、液体飲料やゼリー状食品を低温に保持するために氷点より高い温度に保持された低温室に配置される。低温室から取り出した時の包装容器は、両面部分の表面温度が氷点より高い低温であるから、飲用に際して、包装容器の両面部分を手の指で押圧した時、指が低温であることを感じるだけで、指が冷えてしまうという問題は発生しない。
【０００７】
しかし、上記包装容器は、アイスクリームを充填した場合、アイスクリームを氷点以下の温度に保持するために、冷凍装置の冷凍室に配置される。冷凍室から取り出した時の包装容器は、両面部分の表面温度が氷点以下の温度になっているから、飲用に際して、包装容器の両面部分を手の指で押圧した時、両面部分に接する指が極度に冷えてしまい、指による押圧を続行できず、飲用に支障が生じることがある。
また、冷凍室から取り出した時の包装容器は、両面部分と外気温との温度差により、両面部分の外面に結露が生じ、両面部分の外面が氷結してしまうという問題がある。
【０００８】
本発明は、上記した点を考慮してなされたもので、飲用に際して、アイスクリームやシャーベットのような氷菓子の温度に関係なく対向する２面を手の指で押圧することで、アイスクリームやシャーベットのような氷菓子を取り出すことができる包装容器を提供することを目的とする。
【課題を解決するための手段】
【０００９】
本発明の請求項１に係る発明は、両面部分とガセット部分を有するガセット形容器と、ガセット形容器の開口部に固着された取出具とを有し、ガセット形容器は、対向する２面を断熱層を有するラミネートフィルムで形成し、他の対向する２面を断熱層のないラミネートフィルムで形成し、ラミネートフィルムの断熱層は、少なくとも一面に凹凸面を形成したプラスチックフィルムとこれに隣接するプラスチックフィルムを全周囲を密封空気層を形成するようにヒートシールして形成される包装容器である。
【００１０】
本発明の請求項２に係る発明は、両面部分とガセット部分を有するガセット形容器と、ガセット形容器の開口部に固着された取出具とを有し、ガセット形容器の対向する２面を断熱層を有するラミネートフィルムで形成し、他の対向する２面を断熱層のないラミネートフィルムで形成し、ラミネートフィルムの断熱層は、２枚の片面にエンボス面を形成したプラスチックフィルムをエンボス面が対向するように配置し、全周囲を密封空気層を形成するようにヒートシールして形成される包装容器である。
【００１１】
本発明の請求項４に係る発明は、両面部分と底部分を有する自立形容器と、自立形容器の開口部に固着された取出具とを有し、自立形容器は、対向する２面を断熱層を有するラミネートフィルムで形成し、底部分を断熱層のないラミネートフィルムで形成し、ラミネートフィルムの断熱層は、少なくとも一面に凹凸面を形成したプラスチックフィルムとこれに隣接するプラスチックフィルムを全周囲を密封空気層を形成するようにヒートシールして形成される包装容器である。
【００１２】
本発明の請求項５に係る発明は、両面部分と底部分を有する自立形容器と、自立形容器の開口部に固着された取出具とを有し、自立形容器は、対向する２面を断熱層を有するラミネートフィルムで形成し、底部分を断熱層のないラミネートフィルムで形成し、ラミネートフィルムの断熱層は、２枚の片面にエンボス面を形成したプラスチックフィルムをエンボス面が対向するように配置し、全周囲を密封空気層を形成するようにヒートシールして形成される包装容器である。
【００１３】
本発明の請求項７に係る発明は、両面部分と底部分を有する自立形容器と、自立形容器の開口部に固着された取出具とを有し、自立形容器は、対向する２面を断熱層を有するラミネートフィルムで形成し、底部分を断熱層のないラミネートフィルムで形成し、ラミネートフィルムの断熱層は、２枚の片面にエンボス面を形成したプラスチックフィルムをエンボス面が対向するように配置し、全周囲を内部に密封空気層を形成するようにヒートシールして形成される包装容器である。
【発明の効果】
【００１４】
本発明の包装容器は、充填したアイスクリームやシャーベットのような氷菓子を急速冷凍する場合、充填した氷菓子を断熱層のないラミネートフィルムを通して冷却することができ、氷菓子の飲用に際する容器の押圧を指が極度に冷えることなく連続して行うことができる。
【発明を実施するための最良の形態】
【００１５】
以下本発明の実施の形態を図面を参照して説明する。
図１は、本発明による包装容器の斜視図を示す。この包装容器１は、上方開口のガセット形容器２と、ガセット形容器２の開口部２ａに固着された取出具３とを有する。
【００１６】
上記ガセット形容器２は、両面部分４，４と、これら両面部分４，４の間に折り込み端５ａが内方に位置するように配置されたガセット部分５，５とを有する。両面部分４，４は、断熱性を有するプラスチックフィルム６から形成されている。ガセット部分５，５は、断熱層のないプラスチックフィルム７から形成されている。
【００１７】
上記プラスチックフィルム６は、図２に示すように、上から順に、厚さ１２μｍのポリエステルフィルム８、厚さ７μｍのアルミホイル９、厚さ１５μｍの延伸ナイロンフィルム１０、厚さ３０μｍの直鎖状低密度ポリエチレンフィルム１１および厚さ４０μｍの直鎖状低密度ポリエチレンフィルム１２を積層したプラスチックフィルムである。
【００１８】
上記ポリエチレンフィルム１１およびポリエチレンフィルム１２は、フィルム成形時に、片面をエンボス加工することにより片面をエンボス面としたフィルムである。フィルム１１．１２の片面に形成されたエンボス面の凹部は、全面にほぼ均一に分布部されている。エンボス面の凹部は、直径が５０μｍ以上で、深さが１０〜１５０μｍの断面円形の凹部であることが好ましいが、断面が角形の非円形であってもよい。また、フィルムの片面に形成されたエンボス面の凹部の全占有領域は、フィルム全面の３０〜７０％、好ましくは５０％である。
【００１９】
上記ポリエチレンフィルム１１とポリエチレンフィルム１２は、片面に形成したエンボス面が対向するように配置され、全周囲を互いにヒートシール加工して接合される。上記ポリエチレンフィルム１１とポリエチレンフィルム１２は、接合に際して、対向面にエンボス面を有するので、フィルム同士のブロッキングを防ぐことができる。上記ポリエチレンフィルム１１とポリエチレンフィルム１２は、全周囲を互いにヒートシールしたことで、ヒートシール部の内側に位置するエンボス面の凹部同士が互いに連通して密封空気層を形成することにより断熱層を構成する。
【００２０】
上記プラスチックフィルム６の他例は、上から順に、厚さ１２μｍのポリエステルフィルム８、厚さ７μｍのアルミホイル９、厚さ１５μｍの延伸ナイロンフィルム１０、厚さ３０μｍの直鎖状低密度ポリエチレンフィルム１１および厚さ４０μｍの直鎖状低密度ポリエチレンフィルム１２を積層したプラスチックフィルムであるが、ポリエチレンフィルム１１の一面または両面、あるいはポリエチレンフィルム１２のポリエチレンフィルム１１に対向する面にチルロールのような押圧手段により凹凸面が形成されている。
【００２１】
上記ポリエチレンフィルム１１とポリエチレンフィルム１２、またはナイロンフィルム１０とポリエチレンフィルム１１とポリエチレンフィルム１２は、全周囲を互いにヒートシール加工して接合される。上記ナイロンフィルム１０とポリエチレンフィルム１１とポリエチレンフィルム１２は、全周囲を互いにヒートシールしたことで、ヒートシール部の内側に位置する凹凸面により密封空気層を形成するで断熱層を構成する。
【００２２】
上記プラスチックフィルム６の他例は、上から順に、厚さ１２μｍのポリエステルフィルム、坪量５０ｇ／ｍ２の低密度ポリエチレン不織布、厚さ１２μｍのアルミニウム蒸着延伸ポリエステルフィルムおよび厚さ７０μｍの直鎖状低密度ポリエチレンフィルムをラミネートしたフィルムであり、ポリエステルフィルムと延伸ポリエステルフィルムの間に配置した不織布を製袋時のシール加工により周囲部分を溶融し、不織布の空気層を密封状態とすることで断熱層を形成することができる。ポリエチレン系不織布は、ポリプロピレン不織布や、ポリエチレン不織布であってもよい。
【００２３】
上記プラスチックフィルム７の一例は、図３に示すように、厚さ１２μｍのポリエステルフィルム１３、厚さ７μｍのアルミホイル１４、厚さ１５μｍの延伸ナイロンフィルム１５および厚さ７０μｍの直鎖状低密度ポリエチレンフィルム１６をラミネートしたフィルムである。上記プラスチックフィルム７は、各層が伝熱性を有するので、断熱層のない構成である。
【００２４】
上記取出具３は、ねじ部１７を設けた口部１８と、この口部１８に一体の接合部１９とこの接合部１９より下方に延びる導管部２０とを有する。導管部２０は、偏平形状をなす狭搾部２１を有する。狭搾部２１の偏平面には開口２２が形成されている。そして、取出具３の口部１８のねじ部１７にキャップ２３が螺着される。
【００２５】
本発明による包装容器１にアイスクリームを充填するには、図示しない充填ノズルを取出具３の口部１８に装着し、アイスクリームを充填ノズルを通して包装容器１の内部に導入することで行う。
【００２６】
アイスクリームを充填した包装容器１は、アイスクリームを氷点以下の温度で保存するために冷凍装置の冷凍室に配置される。包装容器１は、両面部分４，４が断熱層を有するラミネートフィルム６で形成され、ガセット部分５，５が断熱性のないラミネートフィルム７で形成されているので、冷凍室内の冷気は、包装容器１の断熱性のないガセット部分５，５を通して包装容器１の内部に導かれる。そのため、包装容器１内のアイスクリームは、充填後の急速冷凍に支障なく氷点以下の温度で保存される。
【００２７】
包装容器１に収容されたアイスクリームを飲用するには、アイスクリームを充填した包装容器１を冷凍装置の冷凍室から取り出し、アイスクリームを充填した包装容器１を常温状態に置く。これにより、外気の温度が包装容器１の断熱性のないガセット部分５，５を通して包装容器１の内部に導かれ、包装容器１内のアイスクリームが溶け始める。
【００２８】
包装容器１内のアイスクリームが溶け出したら、包装容器１のキャップ２３を口部１８から取り外し、取出具３の口部１８を口で吸いながら包装容器１の両面部分４，４を手の指で押圧し、包装容器１内のアイスクリームを絞り出す。この際、包装容器１の両面部分４，４は断熱層を有するプラスチックフィルム６で形成されているので、包装容器の両面部分４，４を手の指で押圧した時、指が極度に冷えてしまうことがない。
【００２９】
なお、上記実施の形態では、包装容器１の両面部分４，４を断熱層を有するラミネートフィルム６で形成し、両面部分４，４を手の指で押圧した時、指が極度に冷えてしまうことがないようにしたが、包装容器１のガセット部分５，５を断熱層を有するラミネートフィルム６で形成し、ガセット部分５，５を手の指で押圧した時、指が極度に冷えてしまうことがないようにすることもできる。これは、包装容器１の両面部分４とガセット部分５がほぼ同一寸法で形成され、包装容器１の断面形状が略正方形をなす場合に適している。
【００３０】
図５は、本発明の他の実施の形態を示し、図５に示す包装容器３０は、上方開口の自立形容器３１と、自立形容器３１の開口部３１ａに固着された取出具３とを有する。
【００３１】
上記自立形容器３１は、両面部分３２，３２と、これら両面部分３２，３２の下端の間に折り込み端が上方に位置するように配置された底部分３３とを有する。両面部分３２，３２は断熱性を有するプラスチックフィルム６から形成されている。底部分３３は断熱層のないプラスチックフィルム７から形成されている。プラスチックフィルム６、プラスチックフィルム７および取出具３は、前述した包装容器１のプラスチックフィルム６、プラスチックフィルム７および取出具３の構成と同じであるから説明を省略する。
【００３２】
アイスクリームを充填した包装容器３０は、アイスクリームを氷点以下の温度で保存するために冷凍装置の冷凍室に配置される。包装容器３０は、両面部分３２，３２が断熱層を有するラミネートフィルム６で形成され、底部分３３が断熱性のないラミネートフィルム７で形成されているので、冷凍室内の冷気は、包装容器３０の断熱性のない底部分３３を通して包装容器３０の内部に導かれる。そのため、包装容器３０内のアイスクリームは、充填後の急速冷凍に支障なく氷点以下の温度で保存される。
【００３３】
包装容器３０に収容されたアイスクリームを飲用するには、アイスクリームを充填した包装容器３０を冷凍装置の冷凍室から取り出し、アイスクリームを充填した包装容器３０を常温状態に置く。これにより、外気が包装容器３０の断熱性のない底部分３３を通して包装容器３０の内部に導かれ、包装容器３０内のアイスクリームが溶け始める。
【００３４】
包装容器３０内のアイスクリームが溶け出したら、包装容器３０のキャップ２３を口部１８から取り外し、取出具３の口部１８を口で吸いながら包装容器３０の両面部分３２，３２を手の指で押圧し、包装容器３０内のアイスクリームを絞り出す。この際、包装容器３０の両面部分３２，３２は、断熱層を有するプラスチックフィルム６で形成されているので、包装容器３１の両面部分３２，３２を手の指で押圧した時、指が極度に冷えてしまうことがない。
【００３５】
本発明による包装容器と従来構成の包装容器の測定結果を下表に示す。
【表１】
2006137433.tif 000003
【００３６】
（１）フィルム構成
試料１  厚さ１２μｍのポリエステルフィルム、坪量３０ｇ／ｍ２のポリエチレン不織布、厚さ１５μｍの延伸ナイロンフィルム、厚さ７０μｍの直鎖状低密度ポリエチレンフィルム
試料２  厚さ１２μｍのポリエステルフィルム、厚さ１５μｍの延伸ナイロンフィルム、厚さ３０μｍの片面をエンボス加工した直鎖状低密度ポリエチレンフィルム、厚さ４０μｍの片面をエンボス加工した直鎖状低密度ポリエチレンフィルム
試料３  厚さ２０μｍの延伸ポリプロピレンフィルム、厚さ２０μｍのポリエチレンフィルム、坪量５３ｇ／ｍ２の紙、厚さ３０μｍのポリエチレンフィルム
試料４  厚さ１２μｍのポリエステルフィルム、厚さ１５μｍの金属蒸着延伸ナイロンフィルム、厚さ１００μｍの低密度ポリエチレンフィルム
試料５  厚さ１２μｍのポリエステルフィルム、厚さ７μｍのアルミホイル、厚さ１５μｍの延伸ナイロンフィルム、厚さ７０μｍの低密度ポリエチレンフィルム
【００３７】
（２）測定方法
１０ｃｍ平方の４方シール袋を作り、内部に水を充填し、水を充填した袋を庫内温度をマイナス１５℃とした冷凍庫内に２４時間保存し、冷凍庫から取り出した直後から室温（２５℃）で５分後までの袋の表面温度を測定した。
【００３８】
（３） 測定結果
上記測定結果によれば、試料１および２により作成した袋は、冷凍庫から取り出した直後の表面温度が０度以上で、結露量が少ない。試料３ないし５により作成した袋は、冷凍庫から取り出した直後の表面温度が０度以下で、結露量が多いか氷結がある。
【産業上の利用可能性】
【００３９】
本発明の包装容器は、アイスクリームやシャーベットのような氷菓子を収容するのに特に適する。氷菓子の飲用に際して、両面部分を手の指で押圧した時、指を極度に冷やすことなく口部から氷菓子を吸い出すことができる。
【図面の簡単な説明】
【００４０】
【図１】本発明による包装容器の一部を破いて示す斜視図である。
【図２】本発明による包装容器の両面部分のフィルム構成を示す図である。
【図３】本発明による包装容器のガセット部分のフィルム構成を示す図である。
【図４】本発明による包装容器の取出具の側面図である。
【図５】本発明による他の包装容器の一部を破いて示す斜視図である。
【符号の説明】
【００４１】
１  包装容器
２  ガセット形容器
３  取出具
４  両面部分
５  ガセット部分
６  プラスチックフィルム
７  プラスチックフィルム  
１１  直鎖状低密度ポリエチレンフィルム
１２  直鎖状低密度ポリエチレンフィルム
【図１】
2006137433.tif 000004
【図２】
2006137433.tif 000005
【図３】
2006137433.tif 000006
【図４】
2006137433.tif 000007
【図５】
2006137433.tif 000008